(57)【要約】【課題】冷却塔が作動しているときのみ固形薬剤を溶解させて薬注することができ、また冷却塔の負荷に応じた薬注量となるように定量薬注することができ、しかも固形薬剤の残量を容易に確認することもできる冷却塔への薬注装置を提供する。【解決手段】冷却塔１の充填材２に集水部としての樋状の集水器５が差し込まれている。充填材２間を落下する水の一部がこの集水器５で集水され、流入管６、流量調節バルブ７を介して容器８の底部の流入口８ａから容器８の底部に導入される。容器８の底部に流入した水は、容器８内の固形薬剤と接触して薬剤溶液が生成する。この薬剤溶液は、容器８の流出口８ｂから薬注管１０を介してピット４に流入し、薬注が行われる。【選択図】図１
2013210134.tif 000002
【特許請求の範囲】
【請求項１】
冷却塔内に配管されるか又は差し込まれる集水部と、
固形薬剤を収容するための、該冷却塔外に配置された容器と、
該集水部で集水された水を該容器の底部に導入する流入管と、
該容器底部において該水と固形薬剤とが接触して生成した薬剤溶液を前記冷却塔に供給するための薬注管と
を備えてなる冷却塔への薬注装置。
【請求項２】
請求項１において、前記集水部、流入管又は前記容器の水流入部に流量調節バルブが設けられていることを特徴とする冷却塔への薬注装置。
【請求項３】
請求項１又は２において、前記容器の薬剤溶液流出部又は前記薬注管に流量調節バルブが設けられていることを特徴とする冷却塔への薬注装置。
【請求項４】
請求項１ないし３のいずれか１項において、前記容器の少なくとも一部は透明であることを特徴とする冷却塔への薬注装置。
【発明の詳細な説明】
【技術分野】
【０００１】
本発明は、冷却塔に固形薬剤を溶解させて供給するための冷却塔への薬注装置に関する。
【背景技術】
【０００２】
スケール防止剤やスライム防止剤などの固形薬剤を水に溶解させて冷却塔に注入する方法として、特許文献１〜４には、固形薬剤を収容した透水性の袋を冷却塔のピットに浸漬することが記載されている。
【先行技術文献】
【特許文献】
【０００３】
【特許文献１】特開昭６１−２１７８０
【特許文献２】特開昭６１−２１７８１
【特許文献３】特開昭６１−２１７８２
【特許文献４】特開昭６１−２２７８５
【発明の概要】
【発明が解決しようとする課題】
【０００４】
上記のように固形薬剤収容袋をピットに浸漬して薬注を行う場合、冷却塔が停止している場合でも固形薬剤が溶け出すため、冷却塔停止時には過剰薬注となる。また、固形薬剤の溶解状況が分りにくいため、固形薬剤がすべて溶解してしまってもそのまま放置され、薬注不足となるおそれもある。
【０００５】
本発明は、このような問題点を解消し、冷却塔が作動しているときのみ固形薬剤を溶解させて薬注することができ、また冷却塔の負荷に応じた薬注量となるように定量薬注することができ、しかも固形薬剤の残量を容易に確認することもできる冷却塔への薬注装置を提供することを目的とする。
【課題を解決するための手段】
【０００６】
本発明の冷却塔への薬注装置は、冷却塔内に配管されるか又は差し込まれる集水部と、固形薬剤を収容するための、該冷却塔外に配置された容器と、該集水部で集水された水を該容器の底部に導入する流入管と、該容器底部において該水と固形薬剤とが接触して生成した薬剤溶液を前記冷却塔に供給するための薬注管とを備えてなるものである。
【０００７】
本発明では、集水部、流入管又は前記容器の水流入部に流量調節バルブを設けてもよい。
【０００８】
また、容器の薬剤溶液流出部又は前記薬注管に流量調節バルブを設けてもよい。
【０００９】
容器の少なくとも一部を透明としてもよい。
【発明の効果】
【００１０】
本発明の冷却塔への薬注装置では、冷却塔が作動していると、冷却塔内に配置されるか又は差し込まれた集水部内に水が落下して集水される。集水された水は、流入管を介して容器底部に流入する。この容器内に固形薬剤が収容されており、流入した水が固形薬剤と接触して薬剤溶液となる。この薬剤溶液が薬注管を介して冷却塔のピットに添加されて薬注が行われる。
【００１１】
冷却塔が停止しているときには、冷却塔内で水は落下しないから、集水部で集水されず、容器に水が流入せず、従って薬注は行われない。即ち、本発明の冷却塔への薬注装置では冷却塔が作動していないときには薬注が行われず、冷却塔が作動しているときには薬注が行われる。しかも、この冷却塔への薬注装置にはポンプ等の電動式送水機構は不要である。
【００１２】
この容器は、冷却塔外に配置されているから、固形薬剤の補充が容易であると共に、容器の少なくとも一部を透明としておくことにより、容器内を透視して固形薬剤の残量を容易に確認することができる。
【図面の簡単な説明】
【００１３】
【図１】実施の形態に係る冷却塔への薬注装置を備えた冷却塔の縦断面図である。
【図２】容器の縦断面図である。
【図３】集水器の斜視図である。
【図４】集水器の斜視図である。
【発明を実施するための形態】
【００１４】
以下、図１〜４を参照して実施の形態について説明する。図１の通り、冷却塔１内に充填材２が配置されている。熱交換器（図示略）からの戻り水が散水器３から該充填材２に散水される。充填材２を伝わり落ちた水（冷水）はピット４に溜まり、熱交換器に送水される。
【００１５】
この充填材２に集水部としての樋状の集水器５（図３）が差し込まれている。充填材２間を落下する水の一部がこの集水器５で集水され、ホース状の流入管６、流量調節バルブ７を介して容器８の底部の流入口８ａから容器８の底部に導入される。
【００１６】
容器８の上部は着脱式のキャップ８ｃとなっており、キャップ８ｃを外して容器８内には、次亜塩素酸カルシウムなどのスライムコントロール剤、スケール防止剤、腐食防止剤、あるいはこれらの混合剤などの固形薬剤を収容し、その後キャップ８ｃを装着しておく。なお、容器８は透明プラスチック製である。
【００１７】
容器８の底部に流入した水は、容器８内の固形薬剤と接触して薬剤溶液が生成する。この薬剤溶液は、容器８の流出口８ｂから薬注管１０を介してピット４に流入し、薬注が行われる。
【００１８】
なお、流入管６の上流端は、前記集水器５の流出口５ａ（図３）に締付バンドによって接続されている。流入管６の末端は締付バンド９によってバルブ７に固定され、薬注管１０の上流端は締付バンド１１によって流出口８ｂに接続されている。
【００１９】
この冷却塔１への薬注装置では、冷却塔１が停止しているときには、冷却塔１内で水は落下しないから、集水器５で集水されず、容器８に水が流入せず、従って薬注は行われない。冷却塔１が作動しているときには、冷却塔１内で水が落下するので、必ず上記のように薬注が行われる。しかも冷却塔１の負荷が大きいときには、集水器５に落下流入する水量が多くなり、薬注量も多くなる。なお、流量調節バルブ７によって容器８への水の流入量を調節し、薬注量を調節することができる。
【００２０】
この冷却塔への薬注装置にはポンプ等の電動式送水機構は不要であり、薬注のランニングコストは実質的に薬剤コストのみである。
【００２１】
この容器８は、冷却塔１外に配置されているから、固形薬剤の補充が容易であると共に、容器８を透明プラスチックとしているところから、容器８内を透視して固形薬剤の残量を容易に確認することができる。
【００２２】
なお、冷却塔１が集水器５を差し込むための隙間を有しないタイプのものであるときには、図４に示す漏斗状の集水器１５を用いる。
【００２３】
この集水器１５はテーパ部１６の下端に垂下管１７を介して流量調節バルブ１８を設けたものであり、流量調節バルブ１８の流出口１９に前記流入管６の上流端が接続される。テーパ部１６の上部にはオーバーフロー部２０が設けられている。この集水器１５は、上部に設けた小孔２１に通した針金などによって充填材２に吊り下げるように取り付けられる。流量調節バルブ１８は省略されてもよい。
【００２４】
図４の場合には、流量調節バルブ１８によっても流入水量調節を行うことができる。流入水量を多くする必要があるときには、冷却塔１内に２個以上の集水器５又は１５を設置し、各々に連なる流入管を途中で１本の合流流入管に接続して容器８に水を流入させるようにすればよい。
【００２５】
上記説明では、容器８よりも上流側に流量調節バルブを設置しているが、容器８よりも下流側（例えば流出口８ｂ又は薬注管１０）に流量調節バルブを設置し、該バルブの閉度を小さくして容器８内に所定水位まで水が溜まるようにしてもよい。このようにすれば、濃度の高い薬剤溶液を薬注することができる。容器８の上流側及び下流側の双方に流量調節バルブを設けてもよい。
【００２６】
上記の容器８は、冷却塔１に対し、取付部材を介して取り付けてもよく、冷却塔１の近傍に別個に設置してもよい。
【００２７】
上記実施の形態は本発明の一例であり、本発明は図示以外の形態とされてもよい。
【符号の説明】
【００２８】
１  冷却塔
２  充填材
３  散水器
５，１５  集水器
７，１８  流量調節バルブ
８  容器
【図１】
2013210134.tif 000003
【図２】
2013210134.tif 000004
【図３】
2013210134.tif 000005
【図４】
2013210134.tif 000006